(57)【要約】【課題】ＩＰ網を用いた場合のファクシミリ装置のデータ送受信を確実なものにする。【解決手段】ファクシミリ装置１０ａは、通信網切換機器２０ｂに対して、送信元の回線４０ａ，ＩＰ網１００，回線６０ａを介して送信先のＩＰ網の電話番号に接続するように第１の接続要求をした後、ＩＰ網の回線異常をトリガーとして、送信先のＩＰ網のＩＰ電話番号を公衆交換電話網の固定電話番号に切り換え、回線４０ａ，ＩＰ網１００，回線５０，ＰＳＴＮ網２００，回線６０ｂを介して送信先のＰＳＴＮ網の電話番号に接続するように第２の接続要求をする。また、第２の接続要求をした後、公衆交換電話網の回線異常をトリガーとして、送信元についてＩＰ網を公衆交換電話網に切り換え、回線４０ｂ，ＰＳＴＮ網２００，回線６０ｂを介して送信先のＰＳＴＮ網の電話番号に接続するように第３の接続要求をする。【選択図】図２
2005252488.tif 000002
【特許請求の範囲】
【請求項１】
送信元のＩＰ網を介して送信先のＩＰ網の番号に接続するように第１の接続要求をする第１接続要求手段と、
ＩＰ網の回線異常の通知を受けた場合に、送信元のＩＰ網を介して送信先の公衆交換電話網の番号に接続するように第２の接続要求をする第２接続要求手段と、
公衆交換電話網の回線異常の通知を受けた場合に、送信元の公衆交換電話網を介して送信先の公衆交換電話網の番号に接続するように第３の接続要求をする第３接続要求手段と、
を有することを特徴とするファクシミリ装置。
【請求項２】
送信元についてＩＰ網を公衆交換電話網へ切り換える指示をするためのプレフィクス番号を設定変更可能に格納する格納手段を備え、
前記第３接続要求手段は、第３の接続要求をする際に、前記格納手段から前記プレフィクス番号を読み出して送信先の番号に付与することを特徴とする請求項１記載のファクシミリ装置。
【請求項３】
実際に行われた接続要求の記録を蓄積する蓄積手段と、
前記蓄積手段から前記接続要求の記録を読み出し、接続要求の種類を識別可能に示した通信結果レポートを出力する出力手段と、
を有することを特徴とする請求項１又は２記載のファクシミリ装置。
【発明の詳細な説明】
【技術分野】
【０００１】
本発明は、公衆交換電話網とＩＰ網とを切り換えてデータを送受信するファクシミリ装置に関する。
【背景技術】
【０００２】
従来のファクシミリ装置としては、例えば特許文献１に記載のものが知られている。同文献に記載のファクシミリ装置は、構内交換機（ＰＢＸ）に複数の公衆交換電話網（ＰＳＴＮ）が接続されており、これらの各網の切り換えを、各網に接続される局線の選択を指示するためのプレフィクス番号を送信先の電話番号に付加することによって制御する。
【０００３】
すなわち、例えば「０」といったプレフィクス番号を送信先の電話番号に付加することで一局線を選択して発呼し、回線が接続されなかった場合には、例えば「９」といった別のプレフィクス番号を電話番号に付加することで局線を変更して発呼する。
【０００４】
ところで、近年は、ＩＰ（Internet Protocol）を用いた通信網（以下「ＩＰ網」という）によるデータの送受信が可能なファクシミリ装置の開発が進んでいる。
【特許文献１】特開平７−３８７２９号公報
【発明の開示】
【発明が解決しようとする課題】
【０００５】
しかしながら、従来のファクシミリ装置では、ＩＰ網を用いたデータ送受信において回線が接続されなかった場合に、これを補うものがなかった。特に、特許文献１に記載のファクシミリ装置は、公衆交換電話網において回線が接続されなかった場合に局線を切り換えるものであり、ＩＰ網でのデータ送受信については何ら考慮したものではなかった。
【０００６】
本発明は、上記に鑑みてなされたものであり、その目的とするところは、ＩＰ網を用いた場合のデータ送受信をより確実なものとし得るファクシミリ装置を提供することにある。
【課題を解決するための手段】
【０００７】
本発明に係るファクシミリ装置は、送信元のＩＰ網を介して送信先のＩＰ網の番号に接続するように第１の接続要求をする第１接続要求手段と、ＩＰ網の回線異常の通知を受けた場合に、送信元のＩＰ網を介して送信先の公衆交換電話網の番号に接続するように第２の接続要求をする第２接続要求手段と、公衆交換電話網の回線異常の通知を受けた場合に、送信元の公衆交換電話網を介して送信先の公衆交換電話網の番号に接続するように第３の接続要求をする第３接続要求手段と、を有することを特徴とする。
【０００８】
本発明にあっては、第１の接続要求後におけるＩＰ網の回線異常をトリガーとして、送信先のＩＰ網の番号を公衆交換電話網の番号に切り換えて第２の接続要求をすることで、送信先への通信経路を変更して、ＩＰ通信網を用いた場合のデータ送受信をより確実なものとしている。
【０００９】
また、第２の接続要求後における公衆交換電話網の回線異常をトリガーとして、送信元のＩＰ網を公衆交換電話網に切り換えて第３の接続要求をすることで、送信元のＩＰ網に回線異常があった場合でも、公衆交換電話網に通信経路を変更して、データ送受信が確実に行われるようにしている。
【００１０】
本発明に係るファクシミリ装置は、送信元についてＩＰ網を公衆交換電話網へ切り換える指示をするためのプレフィクス番号を設定変更可能に格納する格納手段を備え、前記第３接続要求手段は、第３の接続要求をする際に、前記格納手段から前記プレフィクス番号を読み出して送信先の番号に付与することを特徴とする。
【００１１】
本発明にあっては、第３の接続要求をする際に、送信元についてＩＰ網から公衆交換電話網への切り換えを指示するためのプレフィクス番号を送信先の番号に付与することで、この番号を受け付けた通信網切換機器でＩＰ網から公衆交換電話網への切り換えができるようにしている。また、プレフィクス番号を設定変更可能に格納することで、通信網切換機器の接続環境に応じてプレフィクス番号を容易に変更できるようにしている。
【００１２】
本発明に係るファクシミリ装置は、実際に行われた接続要求の記録を蓄積する蓄積手段と、前記蓄積手段から前記接続要求の記録を読み出し、接続要求の種類を識別可能に示した通信結果レポートを出力する出力手段と、を有することを特徴とする。
【００１３】
本発明にあっては、実際に行った接続要求の種類を識別可能に示した通信結果レポートを出力することで、第１〜第３のいずれの接続要求をした段階でデータ送受信が正常に行われるようになったのかを、容易に理解できるようにしている。なお、出力手段は、例えば印字プリンターや操作パネルの画面等に出力するものとする。
【発明の効果】
【００１４】
本発明に係るファクシミリによれば、ＩＰ網を用いた場合のデータ送受信をより確実なものにすることができる。
【発明を実施するための最良の形態】
【００１５】
以下、本発明の一実施の形態について図面を用いて説明する。
【００１６】
図１は、本実施の形態におけるファクシミリ装置１０の構成を示す図である。同図のファクシミリ装置１０は、回線インタフェース１、モデム２、ＩＰ電話番号格納メモリ３、固定電話番号格納メモリ４、プレフィクス番号格納メモリ５、発呼番号生成部６、発呼番号格納メモリ７、通信管理情報蓄積メモリ８、印字部９、制御回路１１、操作パネル（図示せず）を備えた構成である。
【００１７】
回線インタフェース１は、回線１９を介して通信網切換機器２０との間でデータの受け渡しを行う。モデム２は、ファクシミリデータを送受信する際のデータ変換を行う。
【００１８】
ＩＰ電話番号格納メモリ３は、登録者とその登録者が有するＩＰ網用のＦＡＸ番号（以下「ＩＰ電話番号」という）を格納する。固定電話番号格納メモリ４は、登録者とその登録者が有する公衆交換電話網（ＰＳＴＮ網）用のＦＡＸ番号（以下「固定電話番号」という）を格納する。
【００１９】
プレフィクス番号格納メモリ５は、送信元についての通信網をＩＰ網から公衆交換電話網へ切り換える指示をするためのプレフィクス番号を格納する。プレフィクス番号は、通信網切換機器２０の設定に応じて容易に変更可能に格納される。プレフィクス番号としては、例えば「００００」がＰＳＴＮ網への切り換えを指示する番号とする。
【００２０】
発呼番号生成部６は、固定電話番号格納メモリ４から読み出された固定電話番号に対して、プレフィクス番号格納メモリ５から読み出されたプレフィクス番号を付与することで発呼番号を生成する。
【００２１】
発呼番号格納メモリ７は、データ送信時にＩＰ電話番号格納メモリ３から読み出されたＩＰ電話番号、あるいは固定電話番号格納メモリ４から読み出された固定電話番号、あるいは発呼番号生成部６により生成された発呼番号をそれぞれ一時的に格納する。
【００２２】
通信管理情報蓄積メモリ８は、データ送受信の結果を示す通信管理情報を格納する。印字部９は、通信管理情報蓄積メモリ８に格納されている通信管理情報を読み出し、この情報に基づいて通信結果を示すレポートを作成し印字する。制御回路１１は、上記各部の動作を制御する。
【００２３】
通信網切換機器２０は、ＩＰ網に接続するＩＰ接続部と、ＰＳＴＮ網に接続するＰＳＴＮ接続部と、ファクシミリ装置からの接続要求に従って、接続する通信網をＩＰ網とＰＳＴＮ網とで切り換える制御を行う制御部と、ＩＰ網の通信状態を監視するＩＰ監視部と、ＰＳＴＮ網の通信状態を監視するＰＳＴＮ網監視部と、ＩＰ監視部およびＰＳＴＮ監視部による監視結果をファクシミリ装置１０に通知する通知部とを有する構成である。
【００２４】
図２は、ファクシミリ装置１０を用いたネットワークの構成を示す図である。同図に示すように、ファクシミリ装置１０ａは回線を通じて通信網切換機器２０ａに接続され、同様にファクシミリ装置１０ｂは回線を通じて通信網切換機器２０ｂに接続される。ここでは、ファクシミリ装置１０ａを送信元、ファクシミリ装置１０ｂを送信先とする。
【００２５】
通信網切換機器２０ａは、送信元のＩＰ網用の回線４０ａを介してＩＰ網１００に接続され、ＰＳＴＮ網用の回線４０ｂを介してＰＳＴＮ網２００に接続される。ＩＰ網1００とＰＳＴＮ網２００との間は回線５０で接続される。
【００２６】
ＩＰ網１００は、送信先のＩＰ網用の回線６０ａを介して通信網切換機器２０ｂに接続され、ＰＳＴＮ網２００は、送信先のＰＳＴＮ網用の回線６０ｂを介して通信網切換機器２０ｂに接続される。
【００２７】
ファクシミリ装置１０ａ，１０ｂは、図１に示したファクシミリ装置１０と同一の構成であるので、適宜「ファクシミリ装置１０」と総称するものとする。また、通信網切換機器２０ａ，２０ｂは、図１に示した通信網切換機器２０と同一の構成であるので、適宜「通信網切換機器２０」と総称するものとする。
【００２８】
次に、本ファクシミリ装置１０ａの動作について図３乃至図５のフローチャートを用いて説明する。図３は、第１接続要求の処理を示すフローチャート、図４は第２接続要求の処理を示すフローチャート、図５は、第３接続要求の処理を示すフローチャートである。
【００２９】
操作者が操作パネルを用いて送信先として登録者を指定した上でＦＡＸ送信の指示をすると、制御回路１１が次のように動作する。
【００３０】
まず、図３のステップＳ１（図において「Ｓ１」で示す。以下同じ）で、操作パネル上のプレフィクスボタンがＯＮかＯＦＦかを確認する。ＯＮの場合にはステップ１６へ進み、ＯＦＦの場合にはステップＳ２へ進む。
【００３１】
ステップＳ２で、制御回路１１は、ＩＰ電話番号格納メモリ３から指定された登録者のＩＰ電話番号を読み出し、発呼番号生成部６へ出力する。ステップＳ３で、発呼番号生成部６は、ＩＰ電話番号を発呼番号格納メモリ７に格納する。
【００３２】
ステップＳ４で、制御回路１１は、ＩＰ電話番号を発呼番号格納メモリ７から読み出し、回線インタフェース１を制御して発呼を行う。ここでは、通信網切換機器２０に対して、回線４０ａ，ＩＰ網１００，回線６０ａを介して送信先のＩＰ網の電話番号に接続するように第１の接続要求をする。
【００３３】
ステップＳ５で、制御回路１１は、通信網切換機器２０ａからＩＰ網の回線異常が通知された場合には、ステップＳ６へ進み、回線異常が通知されなかった場合には通常のＦＡＸ動作をさせることでデータを送信する。
【００３４】
ステップＳ６で、制御回路１１は、再送回数が予め設定された規定回数に一致したか否かを判定し、一致していない場合には再送回数をカウントアップしてステップＳ７へ進み、一致した場合にはステップＳ８へ進む。ステップＳ７では、制御回路１１は、再送を行い、ステップＳ５へ戻って上記処理を繰り返す。
【００３５】
ステップＳ８で、制御回路１１は、回線インタフェース１を制御して通信を一旦停止する。ここで、第１の接続要求を行ったこと、回線異常が通知されたこと、あるいはファクシミリ装置１０ａが正常にデータ送信をしたことといった通信結果は、通信管理情報として通信管理情報蓄積メモリ８に蓄積される。続いて、図４の処理に移行する。
【００３６】
図４において、ステップＳ９で、制御回路１１は、固定電話番号格納メモリ４から指定された登録者の固定電話番号を読み出し、発呼番号生成部６へ出力する。ステップＳ１０で、発呼番号生成部６は、固定電話番号を発呼番号格納メモリ７に格納する。
【００３７】
ステップＳ１１で、制御回路１１は、固定電話番号を発呼番号格納メモリ７から読み出し、回線インタフェース１を制御して発呼を行う。ここでは、通信網切換機器２０に対して、回線４０ａ，ＩＰ網１００，回線５０，ＰＳＴＮ網２００，回線６０ｂを介して送信先のＰＳＴＮ網の電話番号に接続するように第２の接続要求をする。
【００３８】
ステップＳ１２で、制御回路１１は、通信網切換機器２０ａからＰＳＴＮ網の回線異常が通知された場合には、ステップＳ１３へ進み、回線異常が通知されなかった場合には通常のＦＡＸ動作をさせることでデータを送信する。
【００３９】
ステップＳ１３で、制御回路１１は、再送回数が予め設定された規定回数に一致したか否かを判定し、一致していない場合には再送回数をカウントアップしてステップＳ１４へ進み、一致した場合にはステップＳ１５へ進む。ステップＳ１４では、制御回路１１は、再送を行い、ステップＳ１２へ戻って上記処理を繰り返す。
【００４０】
ステップＳ１５で、制御回路１１は、回線インタフェース１を制御して通信を一旦停止する。ここで、第２の接続要求を行ったこと、回線異常が通知されたこと、あるいはファクシミリ装置１０ａが正常にデータ送信をしたことといった通信結果は、通信管理情報として通信管理情報蓄積メモリ８に蓄積される。続いて、図５の処理に移行する。
【００４１】
図５において、ステップＳ１６で、制御回路１１は、プレフィクス番号格納メモリ５からプレフィクス番号を読み出すとともに、固定電話番号格納メモリ４から登録者の固定電話番号を読み出し、それぞれ発呼番号生成部６へ出力する。
【００４２】
ステップＳ１７で、発呼番号生成部６は、固定電話番号にプレフィクス番号を付与することで発呼番号を生成し、この発呼番号を発呼番号格納メモリ７に格納する。
【００４３】
ステップＳ１８で、制御回路１１は、発呼番号を発呼番号格納メモリ７から読み出し、回線インタフェース１を制御して発呼を行う。ここでは、通信網切換機器２０に対して、回線４０ｂ，ＰＳＴＮ網２００，回線６０ｂを介して送信先のＰＳＴＮ網の電話番号に接続するように第３の接続要求をする。
【００４４】
ステップＳ１９で、通常のＦＡＸ動作が開始され、データが送信される。ここで、第３の接続要求をしたこと，ファクシミリ装置１０ａが正常にデータ送信をしたことといった通信結果は、通信管理情報として通信管理情報蓄積メモリ８に蓄積される。
【００４５】
操作者が、操作パネルを用いて通信状態を示すレポートの出力を指示すると、制御回路１１は、通信管理情報蓄積メモリ８から通信管理情報を読み出し、通信管理情報に基づいて実際に行われた接続要求の種類を識別可能に示した通信結果レポートを作成し、印字部９あるいは操作パネルの表示画面へ出力する。
【００４６】
図６は、通信状態を示すレポートの一例を示す図である。同図では、通信開始日時、送信先、通信時間、枚数といった情報のほか、通信の結果と、データ送信のルートが記載されている。
【００４７】
データ送信のルートは、通信結果が「ＯＫ」のものについては、ＯＫの右隣りの表記が「ＩＰ」のものが第１接続要求によりデータ送信されたことを示し、表記がブランクのものが第２接続要求によりデータ送信されたことを示し、表記が「ＰＲ」のものが第３接続要求によりデータ送信されたことを示す。
【００４８】
通信結果が「ＮＧ」のものについては、ＮＧの右隣の表記が「３」のものが第１接続要求によるデータ送信の失敗を示し、表記が「４」のものが第２接続要求によるデータ送信の失敗を示し、表記が「５」のものが第３接続要求によるデータ送信の失敗を示す。同図では、例えば「３５０３」のように表記しているが、このコードの最初の「３」は第１接続要求によるデータ送信の失敗を示し、続く「５０３」は、送信先の未応答などのエラーの種類を示すコードを示す。
【００４９】
したがって、本実施の形態によれば、第１の接続要求をした後におけるＩＰ網の回線異常をトリガーとして、送信先のＩＰ網のＩＰ電話番号を公衆交換電話網の固定電話番号に切り換える第２の接続要求をすることで、送信先への通信経路が変更されるので、ＩＰ通信網を用いた場合のデータ送受信をより確実なものにすることができる。
【００５０】
本実施の形態によれば、第２の接続要求をした後における公衆交換電話網の回線異常をトリガーとして、送信元についてＩＰ網を公衆交換電話網に切り換える第３の接続要求をすることで、送信元のＩＰ網に回線異常があった場合でも、公衆交換電話網に通信経路が変更されるので、データ送受信を確実なものにすることができる。
【００５１】
本実施の形態によれば、第３の接続要求をする際に、送信元についてＩＰ網から公衆交換電話網への切り換えを指示するためのプレフィクス番号を送信先の固定電話番号に付与することで、通信網切換機器２０においてＩＰ網から公衆交換電話網への切り換えを簡単な構成で行うことができる。
【００５２】
本実施の形態によれば、プレフィクス番号を設定を変更可能に格納することで、通信網切換機器２０における設定状態に応じて容易にプレフィクス番号を変更することができる。
【００５３】
本実施の形態によれば、実際に行われた接続要求の種類を識別可能に示した通信結果レポートを出力することで、第１〜第３のいずれの接続要求をした段階でデータ送受信が正常に行われるようになったのかを、操作者は容易に理解することができる。
【図面の簡単な説明】
【００５４】
【図１】一実施の形態におけるファクシミリ装置の構成を示す図である。
【図２】上記ファクシミリ装置を用いたネットワークの構成を示す図である。
【図３】上記ファクシミリ装置が第１接続要求をするときの処理の流れを示すフローチャートである。
【図４】上記ファクシミリ装置が第２接続要求をするときの処理の流れを示すフローチャートである。
【図５】上記ファクシミリ装置が第３接続要求をするときの処理の流れを示すフローチャートである。
【図６】通信状態を示すレポートの一例を示す図である。
【符号の説明】
【００５５】
１…回線インタフェース，２…モデム
３…ＩＰ電話番号格納メモリ
４…固定電話番号格納メモリ
５…プレフィクス番号格納メモリ
６…発呼番号生成部，７…発呼番号格納メモリ
８…通信管理情報蓄積メモリ，９…印字部
１０，１０ａ，１０ｂ…ファクシミリ装置
１１…制御回路，１９…回線
２０，２０ａ，２０ｂ…通信網切換機器
４０ａ…ＩＰ網用の自回線
４０ｂ…ＰＳＴＮ網用の自回線
５０…回線
６０ａ…ＩＰ網用の回線
６０ｂ…ＰＳＴＮ網用の回線
１００…ＩＰ網，２００…ＰＳＴＮ網
【図１】
2005252488.tif 000003
【図２】
2005252488.tif 000004
【図３】
2005252488.tif 000005
【図４】
2005252488.tif 000006
【図５】
2005252488.tif 000007
【図６】
2005252488.tif 000008